(57)【要約】  【課題】自動販売機の扉に設けている錠を壊され、あるいは扉をこじ開けようとした場合にも、扉を開けることが困難で、かつ錠を外すことで容易に開放できる自動販売機の扉開放防止装置を提供する。  【解決手段】横棒部材３４を第１継手部材３２と第２継手部材３３と中央部材の３つの部材で構成し、中央部材は中空で、その中空部に材質が異なる硬質部材を入れることで、横棒部材３４を切断しにくくし、扉開放の悪戯に対し防止効果が得られる。【選択図】図１
2004259305.tif 000002
【特許請求の範囲】
【請求項１】
自動販売機の本体前面に開閉自在に軸支された扉と、前記本体の両側面のうち、前記扉の軸支側に設けられた第１支持部材と前記扉の反軸支側に設けられた第２支持部材と、前記扉の前方であって前記第１支持部材と第２支持部材との間に掛け渡して取り付けられる横棒部材を有し、前記横棒部材の一端に係合部を設けた第１継手部材と他端には第２継手部材を設け一体化し、前記横棒部材の片端は前記第１支持部材に回動自在に軸支され、他端は前記第２支持部材に施錠固定されることで前記扉の開放を禁止するとともに、前記横棒部材が前記第１継手部材と前記第２継手部材の間に中央部材を有する３つの部材からなり、かつ前記中央部材は中空とし、前記中央部材の中空部が材質の異なる硬質部材で構成されたことを特徴とする自動販売機の扉開放防止装置。
【発明の詳細な説明】
【技術分野】
【０００１】
本発明は自動販売機の扉開放防止装置に関するものである。
【背景技術】
【０００２】
近年、自動販売機は飲料等を中心として、多種多様な商品を販売できるようになっている。通常人通りの多い場所に設置し、売り上げを稼ぐようにすることが一般的である。また自動販売機の役割である無人店舗として稼動している場合も多い。
【発明の開示】
【発明が解決しようとする課題】
【０００３】
しかし、昼間には人通りの多い場所であっても、夜間には人通りが少なくなるため、深夜になると自動販売機の扉の錠を壊され、またこじ開けられ、収納している商品や金銭の被害がしばしば発生している。
【０００４】
そこで、本発明は従来の課題を解決するもので、自動販売機の扉に設けている錠を壊され、あるいは扉をこじ開けようとした場合にも、扉を開けることができないような自動販売機の扉開放防止装置を提供することを目的とする。
【０００５】
また、本発明の他の目的は扉開放防止装置を装着したまままでも、扉の開閉が容易に行えることである。
【課題を解決するための手段】
【０００６】
上記従来の課題を解決するために、本発明の自動販売機の扉開放防止装置は、横棒部材を３つの部材で構成し、中央部材はその中に材質の異なる硬質部材を入れたものである。
【０００７】
これによって、横棒部材を簡単に切断しにくくなり、小型化で堅牢性が高くできる作用を有する。
【発明の効果】
【０００８】
本発明の自動販売機の扉開放防止装置は、係合部に対しての悪戯がされにくくすることができる。また、横棒部材を切断しにくくなり、装置を小型化で堅牢性が高い構造とすることができる。
【発明を実施するための最良の形態】
【０００９】
本発明の請求項１に記載の発明は、自動販売機の本体前面に開閉自在に軸支された扉と、前記本体の両側面のうち、前記扉の軸支側に設けられた第１支持部材と前記扉の反軸支側に設けられた第２支持部材と、前記扉の前方であって前記第１支持部材と第２支持部材との間に掛け渡して取り付けられる横棒部材を有し、前記横棒部材の一端に係合部を設けた第１継手部材と他端には第２継手部材を設け一体化し、前記横棒部材の片端は前記第１支持部材に回動自在に軸支され、他端は前記第２支持部材に施錠固定されることで前記扉の開放を禁止するとともに、前記横棒部材が前記第１継手部材と前記第２継手部材の間に中央部材を有する３つの部材からなり、かつ前記中央部材は中空とし、前記中央部材の中空部が材質の異なる硬質部材で構成されたものであり、第１継手部材と第２継手部材がそれぞれ第１支持部材と第２支持部材と隙間無く係合することにより、悪戯がされにくく、また横棒部材を切断しにくくなり、小型化で堅牢性が高くできる作用を有する。
【００１０】
（実施の形態１）
図１は本発明の実施の形態１による自動販売機の扉開放防止装置の斜視図、図２は同実施の形態による自動販売機の扉開放防止装置の詳細図、図３は同実施の形態による自動販売機の扉開放防止装置の詳細図、図４は同実施の形態による自動販売機の扉開放防止装置の上面図、図５は同実施の形態による自動販売機の扉開放防止装置の上面図、図６は同実施の形態による自動販売機の扉開放防止装置の詳細図である。
【００１１】
図１から図６において、１は自動販売機の本体、１００は隣接して設置した自動販売機、２は自動販売機の扉であり、本体１の前面に開閉可能に軸支されている。３０は本体１の左側面、すなわち扉２の軸支側の側面に取付けられている支持部材（第１支持部材）である。３１は本体１の右側面、すなわち扉２の軸支側とは反対側の側面に取付けられている支持部材（第２支持部材）である。
【００１２】
３２は支持部材３０と回動自在に軸支する継手部材（第１継手部材）、３３は支持部材３１に施錠固定される継手部材（第２継手部材）、３４は継手部材３２と継手部材３３とに接続固定された横棒部材である。
【００１３】
支持部材３０と継手部材３２の軸支部分は図２のようになっており、支持部材３０の先端部３７と継手部材３２の先端がそれぞれくし状で互い違いに勘合した上で、固定ピン３６が支持部材３０に勘入固定され、継手部材３２が回動自在になるように軸支されている。
【００１４】
さらに固定ピン３６は支持部材３０のくし状先端部３７に勘入される際に少なくとも２箇所以上はくし状先端部３７に固着されることが望ましい。
【００１５】
横棒部材３４は継手部材３２に設けた係合部である穴３２ａに勘入し固定されており、さらに引き抜け防止のために、固定ピン３５が打ち込まれている。
【００１６】
横棒部材３４はさらに反対側では、継手部材３３に勘入し、固定ピン４４で抜けないように固定されている。
【００１７】
継手部材３３はＬ字形状をしており、ドア２の前面に回りこんだ形状でドアハンドル７をカバーする位置に取り付けるとさらに効果的である。
【００１８】
支持部材３１と継手部材３３との施錠部分はそれぞれ凹凸形状で係合し、施錠ピン４１が継手部材の一部を貫通し施錠されている。
【００１９】
さらに継手部材の先端のカバー部４０は施錠ピン４１をカバーするように迫り出しており、施錠時には、施錠ピン４１は見えないようになっている。
【００２０】
支持部材３１は本体１の横面１ａに取り付けネジ４６によって固定されている。
【００２１】
本実施の形態では、錠４７は支持部材３１の下部に設けられていますが、上部、背面部に設けてもよい。
【００２２】
以上のように構成された自動販売機の扉開放防止装置について、以下その動作を説明する。
【００２３】
図１は、横棒部材３４が取り付けられた継手部材３２と継手部材３３がそれぞれ支持部材３０と支持部材３１に固定、施錠されて扉２を開放できない状態である。この状態では継手部材３３は丁度ドアハンドル７の前面に位置しており、たとえドア錠８を壊されえたとしても、ドアハンドル７を起こすことはできないため、扉２を開放することができません。
【００２４】
次に扉２を開放する場合は、まず支持部材３１の錠４７を開けて継手部材３３を取り付けた横棒部材３４を支持部材３１から外す。
【００２５】
ここで支持部材３１の錠４７の位置は、支持部材３１の上面、もしくは下面に設けてもよい。
【００２６】
さらに扉２のドアハンドル７に設けられているドア錠８を開け、ドアハンドル７を回して扉２を開放する。
【００２７】
この時、図４に示すように、扉２を開くと横棒部材５は扉２と同時に解放される。
【００２８】
図４の破線は扉２を開放した状態であり、この図からもわかるとおり左側に自動販売機１００を隣接して設置した場合、横棒部材３４が隣の自動販売機に当たることが考えられる。そのため、横棒部材３４を支える支持部材３０の支軸の位置をできるだけ自動販売機本体１よりの手前にあることが望ましい。
【００２９】
また、支持部材３０に錠３９を設け、取り外し可能な構造とすることで、横棒部材３４を回動させることなく、自動販売機の手前に引き抜くように取り外すことができ、横棒部材３４が回動したときに隣接した自動販売機に干渉することなく設置することができます。
【００３０】
また、図５に示すように、継手部材３３に取付部４５（ネジによる固定）を設け扉２の表板金面４２に固定し、支持部材３０および継手部材３３、さらに横棒部材３４を取りつけることにより、Ｌ字形状である継手部材３３が扉２の開放を防止することができる。
【００３１】
さらに、図６に示すとおり、継手部材３２、３３と横棒部材３４の接続は継手部材３２と横棒部材３４にそれぞれ穴を設け、固定ピン５０で接続固定する方法がある。
【００３２】
また他の方法として、継手部材３３にめすネジ５３を設け、横棒部材３４におすネジ５２を設けて、ねじ込む方法も考えられる。
【００３３】
いずれの方法も、各部品が破損した場合には、破損部分のみを分解して交換することができる。
【００３４】
また、横棒部材３４の中心部５４を別部材、たとえば硬度の異なる部材を挿入することで切断に対し強度を向上することも効果的である。
【００３５】
硬度の異なる部材は、例えば金属では、鋼材料、ステンレス材料等であり、非金属材料ではコンクリート、砂、砂利等が効果的である。
【００３６】
以上のように本実施の形態の自動販売機の扉開放防止装置は、第１支持部材３０と第２支持部材３１と第１継手部材３２と第２継手部材３３と横棒部材３４とから構成され、第１支持部材３０に第１継手部材３２を回動自在に固定する固定ピン３６の回動部が見えないように、また第２支持部材３１と第２継手部材３３の施錠部分が見えないようにカバー部４０により目隠しされていることで、扉開放の悪戯に対し、さらに防止効果が得られる。
【図面の簡単な説明】
【００３７】
【図１】本発明による自動販売機の扉開放防止装置の実施の形態７の斜視図
【図２】同実施の形態による自動販売機の扉開放防止装置の第１支持部材の詳細図
【図３】同実施の形態による自動販売機の扉開放防止装置の第２支持部材の詳細図
【図４】同実施の形態による自動販売機の扉開放防止装置の上面図
【図５】同実施の形態による自動販売機の扉開放防止装置の第２支持部材の上面図
【図６】同実施の形態による自動販売機の扉開放防止装置の横棒部材の詳細図
【符号の説明】
【００３８】
１    本体
２    扉
３０  支持部材（第１支持部材）
３１  支持部材（第２支持部材）
３２  継手部材（第１継手部材）
３３  継手部材（第２継手部材）
３４  横棒部材
３９  錠
４５  取付部
５４  中心部
【図１】
2004259305.tif 000003
【図２】
2004259305.tif 000004
【図３】
2004259305.tif 000005
【図４】
2004259305.tif 000006
【図５】
2004259305.tif 000007
【図６】
2004259305.tif 000008